(57)【要約】【課題】製造コストの上昇及び大型化を招くことなく、接続用ソケットの使用時にバッテリやメモリーカードの脱落を防止できるカバーを提供する。【解決手段】カメラ本体１１にＵＳＢコネクタを接続する場合、カバー２３を下方にスライドさせ、ソケット閉鎖部２５をカメラ本体１１から起立する方向に回動させる。これにより、ＵＳＢソケット２２のみが外部に露呈され、ＵＳＢコネクタをＵＳＢソケット２２に接続できる。カードスロット１８からメモリーカード１７の着脱を行う場合又はバッテリスロット２０からバッテリ１９の着脱を行う場合、カバー２３を下方にスライドさせ、スロット閉鎖部２４をカメラ本体１１から起立する方向に回動させる。これにより、カードスロット１８及びバッテリスロット２０がＵＳＢソケット２２に加えて外部に露呈され、メモリーカード１７及びバッテリスロット２０の着脱を行うことが可能になる。【選択図】図３
2007116475.tif 000002
【特許請求の範囲】
【請求項１】
被写体画像の画像データを記録させる記録媒体又は電源用のバッテリを着脱するための着脱用開口と、外部の機器を接続するための接続用端子と、前記着脱用開口及び前記接続用端子を覆う回動自在なカバーとがカメラ本体に設けられ、前記着脱用開口と前記接続用端子とを各々が略同一方向を向くように配置し、かつ前記カバーを前記カメラ本体の前後方向と略同一方向に延びた軸に軸着するとともに、前記着脱用開口を前記接続用端子よりも前記カバーの軸側に配置したデジタルカメラにおいて、
前記カバーを、前記着脱用開口を覆う開口閉鎖部と前記接続用端子を覆う端子閉鎖部とに分割し、前記開口閉鎖部を前記カメラ本体の前後方向と略同一方向に延びた軸に軸着するとともに、この軸と軸方向が略同一になるように前記端子閉鎖部を前記開口閉鎖部に軸着し、
前記端子閉鎖部を回動させて前記接続用端子のみを露呈させてから、前記開口閉鎖部を回動させて前記着脱用開口及び前記接続用端子の両方を露呈させることを特徴とするデジタルカメラ。
【請求項２】
被写体画像の画像データを記録させる記録媒体又は電源用のバッテリを着脱するための着脱用開口と、外部の機器を接続するための接続用端子と、前記着脱用開口及び前記接続用端子を覆う回動自在なカバーとがカメラ本体に設けられ、前記着脱用開口と前記接続用端子とを各々が略同一方向を向くように配置したデジタルカメラにおいて、
前記カバーを、前記着脱用開口及び前記接続用端子の向く方向と略同一方向に延びた軸に軸着し、
前記カバーは、前記接続用端子のみを露呈させる第１位置と前記着脱用開口及び前記接続用端子の両方を露呈させる第２位置とに回動することを特徴とするデジタルカメラ。
【発明の詳細な説明】
【技術分野】
【０００１】
本発明は、被写体画像の画像データを記録させる記録媒体又は電源用のバッテリを着脱するための着脱用開口と外部の機器を接続するための接続用端子が同一面に設けられたデジタルカメラに関するものである。
【背景技術】
【０００２】
最近のデジタルカメラは、その機能を拡張させることを可能にしてユーザーの利便性を高めるようにしている。このため、最近のデジタルカメラには、メモリカードなどの記録媒体や電源用のバッテリを着脱するための着脱用開口が設けられ、さらに、例えばＵＳＢ（Ｕｎｉｖｅｒｓａｌ Ｓｅｒｉａｌ Ｂｕｓ）コネクタやＡＶ（Ａｕｄｉｏ Ｖｉｓｕａｌ）端子を接続するための接続用ソケット（接続用端子）などが設けられている。そして、着脱用開口や接続用ソケットに埃や塵などの異物が進入するとデジタルカメラが故障する原因となるため、このようなデジタルカメラには着脱用開口や接続用ソケットを覆うカバーが設けられていることが一般である。
【０００３】
しかし、各着脱用開口や接続用ソケットごとにカバーを設けることは部品点数の増加や組み立て工程の増加の要因となる。このため、例えば特許文献１では、デジタルカメラのスライド自在なレンズカバーを接続用ソケット用のカバーとして兼用することが提案されている。また、特許文献２では、バッテリ用の着脱用開口を覆うカバーとメモリーカード用の着脱用開口を覆うカバーとを、それぞれの軸が同一になるようにすることが提案されている。これにより、着脱用開口や接続用ソケットを覆うカバーを設けたデジタルカメラの製造コストを低減することができる。
【特許文献１】特開２００４−１７９７９３号公報
【特許文献２】特開２００１−７５６６９号公報
【発明の開示】
【発明が解決しようとする課題】
【０００４】
しかしながら、上述した着脱用開口と接続用ソケットとをデジタルカメラの同一面に配置する場合、これらを覆うカバーを一体にすると、接続用ソケットを使用する場合でも着脱用開口が露呈するため、バッテリやメモリーカードが着脱用開口から脱落してしまうおそれがある。また、各着脱用開口や接続用ソケットごとにカバーを設けるとカバーの数が増加して、部品点数の増加や組み立て工数の増加に伴う製造コストの上昇を招き、またカバーを取り付けるためのスペースを確保することによるデジタルカメラの大型化を招いてしまうという問題があった。
【０００５】
本発明は、上記の課題を解決するためのもので、製造コストの上昇及び大型化を招くことなく、接続用端子の使用時にバッテリやメモリーカードの脱落を防止できるカバーを備えたデジタルカメラを提供することを目的とする。
【課題を解決するための手段】
【０００６】
上記目的を達成するために請求項１記載のデジタルカメラは、被写体画像の画像データを記録させる記録媒体又は電源用のバッテリを着脱するための着脱用開口と、外部の機器を接続するための接続用端子と、前記着脱用開口及び前記接続用端子を覆う回動自在なカバーとがカメラ本体に設けられ、前記着脱用開口と前記接続用端子とを各々が略同一方向を向くように配置し、かつ前記カバーを前記カメラ本体の前後方向と略同一方向に延びた軸に軸着するとともに、前記着脱用開口を前記接続用端子よりも前記カバーの軸側に配置したデジタルカメラにおいて、前記カバーを、前記着脱用開口を覆う開口閉鎖部と前記接続用端子を覆う端子閉鎖部とに分割し、前記開口閉鎖部を前記カメラ本体の前後方向と略同一方向に延びた軸に軸着するとともに、この軸と軸方向が略同一になるように前記端子閉鎖部を前記開口閉鎖部に軸着し、前記端子閉鎖部を回動させて前記接続用端子のみを露呈させてから、前記開口閉鎖部を回動させて前記着脱用開口及び前記接続用端子の両方を露呈させるものである。
【０００７】
上記目的を達成するために請求項２記載のデジタルカメラは、被写体画像の画像データを記録させる記録媒体又は電源用のバッテリを着脱するための着脱用開口と、外部の機器を接続するための接続用端子と、前記着脱用開口及び前記接続用端子を覆う回動自在なカバーとがカメラ本体に設けられ、前記着脱用開口と前記接続用端子とを各々が略同一方向を向くように配置したデジタルカメラにおいて、前記カバーを、前記着脱用開口及び前記接続用端子の向く方向と略同一方向に延びた軸に軸着し、前記カバーは、前記接続用端子のみを露呈させる第１位置と前記着脱用開口及び前記接続用端子の両方を露呈させる第２位置とに回動するものである。
【発明の効果】
【０００８】
請求項１記載のデジタルカメラは、着脱用開口を覆う開口閉鎖部と接続用端子を覆う端子閉鎖部とに分割したカバーを備え、端子閉鎖部を回動させて接続用端子のみを露呈させてから、開口閉鎖部を回動させて着脱用開口及び接続用端子の両方を露呈させるので、接続用端子と着脱用開口とを段階的に露呈させることが可能になり、製造コストの上昇及び大型化を招くことなく、接続用ソケットの使用時にバッテリやメモリーカードの脱落を防止できる。
【０００９】
請求項２記載のデジタルカメラは、接続用端子のみを露呈させる第１位置と着脱用開口及び接続用端子の両方を露呈させる第２位置とに回動するカバーを備えたので、接続用端子と着脱用開口とを段階的に露呈させることが可能になり、製造コストの上昇及び大型化を招くことなく、接続用ソケットの使用時にバッテリやメモリーカードの脱落を防止できる。
【発明を実施するための最良の形態】
【００１０】
図１に示すように、デジタルカメラ１０のカメラ本体１１は略直方体形状に形成され、その前面にスライド操作自在な半月状のレンズバリア１２が組み付けられている。レンズバリア１２を図１の開放位置にスライドすると撮影レンズ１３やストロボ発光部１４、ストロボ受光部１５などが露呈する。
【００１１】
カメラ本体１１の上面には、レリーズボタン１６が設けられている。レリーズボタン１６を押下すると被写体画像が画像データに変換された後、後述するメモリーカード（記録媒体）１７に画像データが保存される。なお、カメラ本体１１の背面には、液晶モニタや各種の操作を行うための操作ボタンなどが設けられている。
【００１２】
図２及び図３に示すように、カメラ本体１１の一方の側面は一段凹んでいる。そして、その凹んだ面には、メモリーカード１７が着脱されるカードスロット（着脱用開口）１８と電源用のバッテリ１９が着脱されるバッテリスロット（着脱用開口）２０とが設けられている。カードスロット１８とバッテリスロット２０とは横並び配置されている。また、カードスロット１８及びバッテリスロット２０の下方には、ＵＳＢコネクタ２１が差し込まれるＵＳＢソケット（接続用端子）２２が設けられている。ＵＳＢコネクタ２１は、例えばパーソナルコンピューターなどの外部機器と接続される。カードスロット１８、バッテリスロット２０、ＵＳＢソケット２２は全てカメラ１１の一側面に設けられているので、これらは同一方向を向いている。
【００１３】
カメラ本体１１の側面には、板状のカバー２３が回動自在に取り付けられている。カードスロット１８、バッテリスロット２０、ＵＳＢソケット２２はカバー２３によって覆われている。詳しくは後述するようにカバー２３が回動されると各々が開放される。カバー２３は、カードスロット１８及びバッテリスロット２０を覆うスロット閉鎖部（開口閉鎖部）２４とＵＳＢソケット２２を覆うソケット閉鎖部（端子閉鎖部）２５とに分割されている。
【００１４】
図４に示すように、スロット閉鎖部２４は、カメラ本体１１の前後方向と略同一方向に延び、スロット閉鎖部２４の上端部に配置された軸２４ａに軸着されている。これにより、スロット閉鎖部２４は、カメラ本体１１から起立するように（図３中矢印Ａ方向に回動させる）回動する。ソケット閉鎖部２５は、その軸２５ａの軸方向が軸２４ａと略同一になるようにスロット閉鎖部２４に軸着されている。スロット閉鎖部２４の軸２４ａはカメラ本体１１に形成された長孔１１ａに挿入されている。長孔１１ａは上下方向（鉛直方向）に延びている。このため、スロット閉鎖部２４は、上下方向にスライド自在となっている。スロット閉鎖部２４にはソケット閉鎖部２５が連結されているため、結果的にカバー２３全体が長孔１１ａに沿ってスライドする。
【００１５】
スロット閉鎖部２４の裏面には、カメラ本体１１に向かって突出した略Ｌ字形の係止フック２６が形成されている。カメラ本体１１の側面で係止フック２６と対峙する位置には、係止溝２７が形成されている。係止溝２７は略Ｌ字形に形成されている。係止溝２７には係止フック２６の先端部２６ａがその屈曲方向に沿って挿入される。係止溝２７に係止フック２６の先端部２６ａが挿入され、係止溝２７に係止フック２６が係止するとスロット閉鎖部２４がカメラ本体１１に係止される。カバー２３は、バネ２８によって上方に付勢されている。このため、カバー２３が閉じられた状態では、先端部２６ａが係止溝２７の奥に向けて押しつけられ、スロット閉鎖部２４がカメラ本体１１にした状態で保持される。
【００１６】
ソケット閉鎖部２５は略Ｌ字形に形成されており、その先端がカメラ本体１１に突き当てられている。ソケット閉鎖部２５は、軸２５ａを介してスロット閉鎖部２４に回動自在に取り付けられている。スロット閉鎖部２４とソケット閉鎖部２５とは面一になるように互いの相対的な位置決めがなされている。ソケット閉鎖部２５の裏面でカメラ本体１１の側面と対面する面には、カメラ本体１１に向かって突出した係止爪２９が形成されている。係止爪２９の先端は上方側に突出している。カメラ本体１１の側面で係止爪２９と対峙する位置には、その先端が下方に突出した係止爪３０が形成されている。カバー２３が閉じられた状態では、バネ２８の付勢によって係止爪２９が係止爪３０に係止し、ソケット閉鎖部２５がカメラ本体１１に係止した状態で保持される。
【００１７】
係止爪２９と係止爪３０との係止の解除及び係止フック２６と係止溝２７との係止の解除はカバー２３を下方にスライドさせることで可能になる。なお、係止爪２９と係止爪３０との係止を解除させるときのカバー２３のストロークよりも係止フック２６と係止溝２７との係止を解除させるときのカバー２３のストロークのほうが長くなるように、各部の寸法が設定されている。
【００１８】
次に、上記構成による作用について図４〜図８を用いて説明する。なお、図面の煩雑化を防ぐために図５〜図８ではバネ２８を省略している。図４に示すように、常態ではカバー２３は閉じられている。図５に示すように、カメラ本体１１にＵＳＢコネクタ２１を接続する場合、カバー２３を下方にスライドさせ、係止爪２９と係止爪３０との係止を解除させる。図６に示すように、係止爪２９と係止爪３０との係止を解除した後、ソケット閉鎖部２５をカメラ本体１１から起立する方向に回動させる。これにより、ＵＳＢソケット２２のみが外部に露呈され、ＵＳＢコネクタ２１をＵＳＢソケット２２に接続できる。なお、ＵＳＢソケット２２を閉鎖する場合は、ソケット閉鎖部２５をその先端がカメラ本体１１に突き当たるまでカメラ本体１１側に回動させた後に、バネ２８の付勢力を利用して係止爪２９と係止爪３０とを係止させればよい。
【００１９】
また、図７に示すように、カードスロット１８からメモリーカード１７の着脱を行う場合又はバッテリスロット２０からバッテリ１９の着脱を行う場合、カバー２３を下方にスライドさせ、係止フック２６と係止溝２７との係止を解除させる。図８に示すように、係止フック２６と係止溝２７との係止を解除した後、スロット閉鎖部２４をカメラ本体１１から起立する方向に回動させる。すなわち、カバー２３全体をカメラ本体１１から起立する方向に回動させる。これにより、カードスロット１８及びバッテリスロット２０がＵＳＢソケット２２に加えて外部に露呈され、メモリーカード１７及びバッテリスロット２０の着脱を行うことが可能になる。なお、カードスロット１８及びバッテリスロット２０を閉鎖する場合は、係止フック２６の先端部２６ａが係止溝２７内に挿入されるようにスロット閉鎖部２４をカメラ本体１１側に回動させ、バネ２８の付勢力を利用して係止フック２６と係止溝２７とを係止させればよい。
【００２０】
次に第２の実施形態について説明する。なお、上記実施形態と同一の機能を有する部材には同一の符号を用いて詳しい説明を省略する。図９に示すように、カメラ本体１１の側面には、カードスロット１８及びバッテリスロット２０、ＵＳＢソケット２２を覆うカバー４０が取り付けられている。カバー４０は板状に形成されている。カバー４０は、カードスロット１８及びバッテリスロット２０、ＵＳＢソケット２２の向く方向と略同一方向に延びた軸４１によってカメラ本体１１に軸着されている。カバー４０は、その上側でかつカメラ本体１１の背面寄りの角部で軸着されている。カバー４０の回動範囲は、カメラ本体１１の側面に設けられた側壁１１ｂによって規制され、カバー４０はカメラ本体１１の背面側に回動する。
【００２１】
図１０に示すように、カメラ本体１１にＵＳＢコネクタ２１を接続する場合、カバー４０をＵＳＢソケット２２のみが外部に露呈される第１位置まで回動させる。これにより、ＵＳＢコネクタ２１をＵＳＢソケット２２に接続できる。
【００２２】
図１１に示すように、カードスロット１８からメモリーカード１７の着脱を行う場合又はバッテリスロット２０からバッテリ１９の着脱を行う場合、カバー４０をカードスロット１８及びバッテリスロット２０が外部に露呈される第２位置まで回動させる。これにより、メモリーカード１７及びバッテリ１９の着脱を行うことが可能になる。
【００２３】
なお、第２の実施形態においては、カバー４０を第１位置及び第２位置のそれぞれで係止させる係止部材をカバー４０とカメラ本体１１とに設けることが好ましい。これにより、カバー４０を第１位置や第２位置で保持する必要がなくなるので、ＵＳＢコネクタ２１の接続やメモリーカード１７及びバッテリ１９の着脱の作業を効率良く行うことができる。
【００２４】
上記各実施形態では、カードスロット１８及びバッテリスロット２０、ＵＳＢソケット２２をカメラ本体１１の側面に設けたが、これらを設ける面は適宜の面にしてよい。また、接続用端子としてはＵＳＢソケットに限らず、外部の機器を接続できれば適宜の端子を使用してよい。
【図面の簡単な説明】
【００２５】
【図１】デジタルカメラの外観を示す斜視図である。
【図２】ＵＳＢソケットのみを露呈させたときのデジタルカメラの外観を示す斜視図である。
【図３】カードスロット及びバッテリスロットを露呈させたときのデジタルカメラの外観を示す斜視図である。
【図４】カバーを閉じたときのデジタルカメラの断面図である。
【図５】ＵＳＢソケットを露呈させる際にカバーを下方にスライドしたときのデジタルカメラの断面図である。
【図６】ＵＳＢソケットのみを露呈させたときのデジタルカメラの断面図である。
【図７】カードスロット及びバッテリスロットを露呈させる際にカバーを下方にスライドしたときのデジタルカメラの断面図である。
【図８】カードスロット及びバッテリスロットを露呈させたときのデジタルカメラの断面図である。
【図９】カバーを回動させるデジタルカメラの外観を示す斜視図である。
【図１０】カバーを第１位置に回動させたときのデジタルカメラの外観を示す斜視図である。
【図１１】カバーを第２位置に回動させたときのデジタルカメラの外観を示す斜視図である。
【符号の説明】
【００２６】
１０  デジタルカメラ
１１  カメラ本体
１７  メモリカード（記録媒体）
１８  カードスロット（着脱用開口）
１９  バッテリ
２０  バッテリスロット（着脱用開口）
２１ＵＳＢコネクタ
２２ＵＳＢソケット（接続用ソケット）
２３，４０  カバー
２４  スロット閉鎖部（開口閉鎖部）
【図１】
2007116475.tif 000003
【図２】
2007116475.tif 000004
【図３】
2007116475.tif 000005
【図４】
2007116475.tif 000006
【図５】
2007116475.tif 000007
【図６】
2007116475.tif 000008
【図７】
2007116475.tif 000009
【図８】
2007116475.tif 000010
【図９】
2007116475.tif 000011
【図１０】
2007116475.tif 000012
【図１１】
2007116475.tif 000013